(57)【要約】【課題】本考案は、頭部のサイズが異なるユーザでも使用することができる上、収納に便利なヘアバンドを提供する。【解決手段】ヘアバンド１００は、開閉部材１及び交差伸び部材２を備えるとともに、ユーザの頭部に装着するときに展開し、頭部に装着しないときに折り畳むことが可能である。開閉部材１は、相対的に回転展開させたり折り畳んだりすることが可能な１対の回転部材１２を有する。交差伸び部材２は、第１の伸び部材２１及び第２の伸び部材２２を含み、第１の伸び部材２１と第２の伸び部材２２とは交差点Ｐ１で交差される。第１の伸び部材２１は、一方の回転部材１１に枢着される。第２の伸び部材２２は、他方の回転部材１１に枢着される。回転部材１１を相対的に回転させて展開したり、相対的に回転させて折り畳んだりする。【選択図】図１
0003176351.tif 000002
【実用新案登録請求の範囲】
【請求項１】
開閉部材及び交差伸び部材を備えるとともに、ユーザの頭部に装着するときに展開し、頭部に装着しないときに折り畳むことが可能なヘアバンドであって、  
前記開閉部材は、相対的に回転展開させたり折り畳んだりすることが可能な１対の回転部材を有し、
前記交差伸び部材は、第１の伸び部材及び第２の伸び部材を含み、前記第１の伸び部材と前記第２の伸び部材とは交差点で交差し、
前記第１の伸び部材は、一方の前記回転部材に枢着され、
前記第２の伸び部材は、他方の前記回転部材に枢着され、
前記回転部材を相対的に回転させて展開したり、相対的に回転させて折り畳んだりすることを特徴とするヘアバンド。
【請求項２】
前記一方の交差伸び部材の前記第１の伸び部材と、前記前記交差伸び部材に隣接した前記他方の交差伸び部材の前記第２の伸び部材とが枢着されることを特徴とする請求項１に記載のヘアバンド。
【請求項３】
前記第１の伸び部材及び前記第２の伸び部材は弧状であることを特徴とする請求項１に記載のヘアバンド。
【請求項４】
前記第１の伸び部材及び前記第２の伸び部材は、交差点に枢着されることを特徴とする請求項１に記載のヘアバンド。
【請求項５】
前記交差伸び部材には、挿着部材が突設されていることを特徴とする請求項１に記載のヘアバンド。
【請求項６】
複数の交差伸び部材を備えるとともに、ユーザの頭部に装着するときに展開し、頭部に装着しないときに折り畳むことが可能なヘアバンドであって、  
前記交差伸び部材は、第１の伸び部材及び第２の伸び部材を含み、前記第１の伸び部材と前記第２の伸び部材とは交差点で交差し、前記一方の交差伸び部材の前記第１の伸び部材と、前記交差伸び部材に隣接した前記他方の交差伸び部材の前記第２の伸び部材とが枢着され、前記交差伸び部材のそれぞれを展開したり折り畳んだりすることを特徴とするヘアバンド。
【請求項７】
相対的に回転展開させたり折り畳んだりすることが可能な１対の回転部材を有する開閉部材をさらに備え、
前記第１の伸び部材は、前記一方の回転部材に枢着され、
前記第２の伸び部材は、前記他方の回転部材に枢着され、
前記回転部材を相対的に回転させて展開したり、相対的に回転させて折り畳んだりすることを特徴とする請求項６に記載のヘアバンド。
【請求項８】
前記第１の伸び部材及び前記第２の伸び部材は弧状であることを特徴とする請求項６に記載のヘアバンド。
【請求項９】
前記第１の伸び部材及び前記第２の伸び部材は、交差点に枢着されることを特徴とする請求項６に記載のヘアバンド。
【請求項１０】
前記交差伸び部材には、挿着部材が突設されていることを特徴とする請求項６に記載のヘアバンド。
【考案の詳細な説明】
【技術分野】
【０００１】
本考案は、ヘアバンドに関し、特に、展開したり折り畳んだりすることができるヘアバンドに関する。
【背景技術】
【０００２】
現代人は、頭髪の見た目を大切にする上、頭髪を整えることは他人に対するマナーであるため、頭髪は毎日整えることが一般的である。ヘアバンドは、束ねたり固定したりして頭髪が乱れることを防ぐために用いる頭飾品の一つである。ヘアバンドは、さらに飾りとしての機能も備えているため、美しいヘアバンドを利用することにより、頭部の見た目を良くすることもできる。ヘアバンドは、硬質材料からなり、頭髪を固定する機能を有する上、ヘアバンドの形状は、ユーザの頭の形に適合するように弧状に形成されている。
【０００３】
ヘアバンドは、簡便に頭部に装着し、頭髪を整えて見栄えを良くすることができる。特に、長髪の場合、頭髪を整えないと乱れ易い上、頭髪を整えるのに多くの時間がかかる。さらに、現代人の生活は非常に忙しいため、ヘアバンドがよく利用されている。
【考案の概要】
【考案が解決しようとする課題】
【０００４】
しかし、ヘアバンドは、一般にサイズが固定されているため、頭部のサイズが異なるユーザに適用することができない。さらに、ヘアバンドを装着する場合、ヘアバンドのサイズが頭部のサイズに略等しいため、収納空間が大きい。
そのため、本考案の目的は、頭部のサイズが異なるユーザでも使用することができる上、収納に便利なヘアバンドを提供することにある。
【課題を解決するための手段】
【０００５】
上記課題を解決するために、本考案の第１の形態によれば、開閉部材及び交差伸び部材を備えるとともに、ユーザの頭部に装着するときに展開し、頭部に装着しないときに折り畳むことが可能なヘアバンドであって、前記開閉部材は、相対的に回転展開させたり折り畳んだりすることが可能な１対の回転部材を有し、前記交差伸び部材は、第１の伸び部材及び第２の伸び部材を含み、前記第１の伸び部材と前記第２の伸び部材とは交差点で交差し、前記第１の伸び部材は、一方の前記回転部材に枢着され、前記第２の伸び部材は、他方の前記回転部材に枢着され、前記回転部材を相対的に回転させて展開したり、相対的に回転させて折り畳んだりすることを特徴とするヘアバンドが提供される。
【０００６】
前記一方の交差伸び部材の前記第１の伸び部材と、前記交差伸び部材に隣接した前記他方の交差伸び部材の前記第２の伸び部材とが枢着されることが好ましい。
【０００７】
前記第１の伸び部材及び前記第２の伸び部材は弧状であることが好ましい。
【０００８】
前記第１の伸び部材及び前記第２の伸び部材は、交差点に枢着されることが好ましい。
【０００９】
前記交差伸び部材には、挿着部材が突設されていることが好ましい。
【００１０】
上記課題を解決するために、本考案の第２の形態によれば、複数の交差伸び部材を備えるとともに、ユーザの頭部に装着するときに展開し、頭部に装着しないときに折り畳むことが可能なヘアバンドであって、前記交差伸び部材は、第１の伸び部材及び第２の伸び部材を含み、前記第１の伸び部材と前記第２の伸び部材とは交差点で交差し、前記一方の交差伸び部材の前記第１の伸び部材と、前記交差伸び部材に隣接した前記他方の交差伸び部材の前記第２の伸び部材とが枢着され、前記交差伸び部材のそれぞれを展開したり折り畳んだりすることを特徴とするヘアバンドが提供される。
【００１１】
相対的に回転展開させたり折り畳んだりすることが可能な１対の回転部材を有する開閉部材をさらに備え、前記第１の伸び部材は、前記一方の回転部材に枢着され、前記第２の伸び部材は、前記他方の回転部材に枢着され、前記回転部材を相対的に回転させて展開したり、相対的に回転させて折り畳んだりすることが好ましい。
【００１２】
前記第１の伸び部材及び前記第２の伸び部材は弧状であることが好ましい。
【００１３】
前記第１の伸び部材及び前記第２の伸び部材は、交差点に枢着されることが好ましい。
【００１４】
前記交差伸び部材には、挿着部材が突設されていることが好ましい。
【考案の効果】
【００１５】
本考案のヘアバンドは、選択的に展開したり折り畳んだりしてサイズを調整することができるため、頭部のサイズが異なるユーザでもヘアバンドが緩すぎたりきつすぎたりすることがない。さらに、ヘアバンドを収納する際のサイズが、展開して装着するときのサイズと比べて非常に小さいため、収納及び携帯に非常に便利である。さらに、ヘアバンドを収納する際、折り畳んで各部材を密着させることができるため、損壊しにくく使用寿命を延ばすことができる。
【図面の簡単な説明】
【００１６】
【図１】図１は本考案の第１実施形態に係るヘアバンドを示す斜視図である。
【図２】図２は本考案の第１実施形態に係るヘアバンドを示す分解斜視図である。
【図３】図３は本考案の第１実施形態に係るヘアバンドを展開したときの状態を示す平面図である。
【図４】図４は本考案の第１実施形態に係るヘアバンドを折り畳んだときの状態を示す平面図である。
【図５】図５は本考案の第１実施形態に係るヘアバンドの一部を展開したときの状態を示す平面図である。
【図６】図６は本考案の第１実施形態に係るヘアバンドを装着して使用するときの状態を示す模式図である。
【図７】図７は本考案の第２実施形態に係るヘアバンドを示す平面図である。
【図８】図８は本考案の第３実施形態に係るヘアバンドを示す平面図である。
【図９】図９は本考案の第４実施形態に係るヘアバンドを示す平面図である。
【図１０】図１０は本考案の第５実施形態に係るヘアバンドを示す平面図である。
【考案を実施するための形態】
【００１７】
以下、本考案の実施形態について図に基づいて説明する。なお、これによって本考案が限定されるものではない。
【００１８】
（第１実施形態）
図１及び図２を参照する。図１及び図２に示すように、本考案の第１実施形態に係るヘアバンド１００は、２つの開閉部材１及び複数の交差伸び部材２を含む。
【００１９】
開閉部材１は、１対の回転部材１１，１２を含む。回転部材１１と回転部材１２とは、１点で枢着されているため、開閉部材１を展開したり折り畳んだりすることができる。勿論、本考案の態様はこれだけに限定されるわけではなく、開閉部材１は、回転部材１１及び回転部材１２に枢着された接続部材（図示せず）を含む構造により、回転部材１１と回転部材１２とを回転展開したり折り畳んだりすることができる。
【００２０】
交差伸び部材２は、交差点Ｐ１で互いに交差する第１の伸び部材２１及び第２の伸び部材２２を含む。第１の伸び部材２１は、回転部材１２に枢着され、第２の伸び部材２２は、回転部材１１に枢着される。これにより、交差伸び部材２の第１の伸び部材２１及び第２の伸び部材２２を、回転部材１１，１２により相対的に回転させて展開したり、交差伸び部材２の第１の伸び部材２１及び第２の伸び部材２２を、回転部材１１，１２により相対的に回転させて折り畳んだりしてもよい。
【００２１】
ヘアバンド１００は、各交差伸び部材２の第１の伸び部材２１と、交差伸び部材２に隣接した交差伸び部材２'の第２の伸び部材２２'とを枢着させ、交差伸び部材２の第２の伸び部材２２と、交差伸び部材２に隣接した交差伸び部材２'の第１の伸び部材２１'とを枢着させる（本実施形態の第１の伸び部材２１と第２の伸び部材２２とは、端部により互いに枢着されるが、勿論、本考案はこの態様だけに限定されるわけではない）。この構成により、これらの交差伸び部材２を枢着点により回転展開させたり折り畳んだりすることができる。本実施形態の交差伸び部材２は、互いに連動させて、ヘアバンド１００を同時に展開させたり（図３参照）、同時に折り畳んだりすることができる（図４参照）。
【００２２】
上述したことから分かるように、第１実施形態のヘアバンド１００は、各開閉部材１及び交差伸び部材２を一緒に連動させ、ヘアバンド１００を展開したり折り畳んだりすることができるが、これらの各種態様については以下詳述する。本考案のヘアバンドの構造が容易に理解できるように、以下の平面図ではヘアバンド全体が伸ばされた状態であるが、これはヘアバンドが平面状であることを表しているわけではなく、ヘアバンドの実際の形状は、図１及び図２に示すような弧状でもよい。
【００２３】
図３を参照する。図３は、本実施形態のヘアバンド１００を最大サイズまで展開したときの状態を示す平面図である。図３に示すように、ヘアバンド１００が展開された状態でも、図２に示すように、各第１の伸び部材２１及び第２の伸び部材２２が弧状であるため、ヘアバンド１００全体は弧状である。そのため、ユーザの頭部に弧状のヘアバンド１００を装着させることができる。
【００２４】
図４を参照する。図４は、本考案の第１実施形態に係るヘアバンドを折り畳んだときの状態を示す平面図である。各開閉部材１及び交差伸び部材２を折り畳むと、ヘアバンド１００全体が折り畳まれた状態となり、ヘアバンド１００を完全に展開したときよりもサイズが小さくなり、使用していないときに収納する際、非常に便利である。
【００２５】
図５を参照する。図５は、本考案の第１実施形態に係るヘアバンドを一部だけ展開したときの状態を示す平面図である。このときのヘアバンド１００のサイズは、完全に展開したときのサイズと、完全に折り畳んだときのサイズとの中間である。このように、本実施形態のヘアバンド１００は、ユーザの頭部のサイズに応じてそのサイズを調整することができるため、異なるユーザが使用しても装着することができる。
【００２６】
図２を再び参照する。図２に示すように、本実施形態の第１の伸び部材２１及び第２の伸び部材２２は、交差点Ｐ１に枢着されているため、ヘアバンド１００を回転展開したり折り畳んだりしても揺れずに安定し、ヘアバンド１００の構造が堅固で捩れて変形しないようにする。しかし本考案は、この態様だけに限定されるわけではなく、第１の伸び部材２１と第２の伸び部材２２とを重ねて一点で交差させたり、第１の伸び部材２１及び第２の伸び部材２２が、枢着部材にそれぞれ枢着されて互いに結合されてもよい（図示せず）。
【００２７】
さらに、交差伸び部材２の頭部に接触される側部には、挿着部材３が突設されている。本実施形態の挿着部材３は、頭髪に挿入した際に頭髪との摩擦力が増えるように、第２の伸び部材２２に対して垂直に延伸され、ユーザの頭部からアバンド１００が容易に外れないようにする。さらに、挿着部材３は、鉤状体、シート状体、環状体などでもよい。さらに、本実施形態では、ヘアバンド１００の通気性を高めるために、回転部材１２に貫通孔１２１を設けたり、第２の伸び部材２２に貫通孔２２１を設けたりしてもよい。勿論、この貫通孔は、回転部材１１及び第１の伸び部材２１に設けたりしてもよいし、ヘアバンド１００に貫通孔を設けなくともよい。
【００２８】
（第２実施形態）
図７を参照する。図７に示すように、本考案の第２実施形態に係るヘアバンド１００ａは、第１実施形態の１００と以下の点で異なる。開閉部材１ａの回転部材１１ａと、交差伸び部材２ａにより互いに離間された交差伸び部材２ａ'の第２の伸び部材２２ａ'とは、延伸されて互いに枢着され、回転部材１２ａと、交差伸び部材２ａにより互いに離間された交差伸び部材２ａ'の第１の伸び部材２１ａ'とは、延伸されて互いに枢着される。各交差伸び部材の第１の伸び部材は、交差伸び部材の第２の伸び部材と枢着されているため、ヘアバンド１００ａを展開したり折り畳んだりすることができるだけでなく、高い構造強度を得て、見た目及びパターンを多様化させることができる。
【００２９】
（第３実施形態）
図８を参照する。図８に示すように、本考案の第３実施形態に係るヘアバンド１００ｂは、開閉部材１ｂの回転部材１１ｂと、開閉部材１ｂに隣接した交差伸び部材２ｂの第２の伸び部材２２ｂとが枢着され、回転部材１２ｂと、互いに隣接した交差伸び部材２ｂの第１の伸び部材２１ｂとが枢着される。各交差伸び部材の第１の伸び部材２１ｂの中点には、隣接した別の交差伸び部材２ｂ'の第２の伸び部材２２ｂ'の端部が枢着され、各交差伸び部材の第２の伸び部材２２ｂの中点には、隣接した別の交差伸び部材２ｂ'の第１の伸び部材２１ｂ'の端部が枢着され、この構成により、ヘアバンド１００ｂを展開したり折り畳んだりすることができるだけでなく、高い構造強度を得て、見た目及びパターンを多様化させることができる。
【００３０】
（第４実施形態）
図９を参照する。図９に示すように、本考案の第４実施形態に係るヘアバンド１００ｃは、複数の交差伸び部材２ｃを含む。各交差伸び部材２ｃは、第１の伸び部材２１ｃ及び第２の伸び部材２２ｃを含む。各交差伸び部材２ｃの第１の伸び部材２１ｃと第２の伸び部材２２ｃとは、交差点Ｐ２で交差され、各交差伸び部材２ｃの第１の伸び部材２１ｃと、交差伸び部材２ｃに隣接した交差伸び部材２ｃ'の第２の伸び部材２２ｃ'とが枢着され、各交差伸び部材２ｃの第２の伸び部材２２ｃと、互いに隣接した交差伸び部材２ｃ'の第１の伸び部材２１ｃ'とが枢着されているため、この構成により各交差伸び部材を展開したり折り畳み、ヘアバンド１００ｃ全体を展開したり折り畳んだりすることができる。
【００３１】
（第５実施形態）
図１０を参照する。図１０に示すように、本考案の第５実施形態に係るヘアバンド１００ｄは、交差伸び部材２ｄの第１の伸び部材２１ｄと、交差伸び部材２ｄに隣接した交差伸び部材２ｄ'の第２の伸び部材２２ｄ'とが枢着され、交差伸び部材２ｄの第２の伸び部材２２ｄと、交差伸び部材２ｄに隣接した交差伸び部材２ｄ'の第１の伸び部材２１ｄ'とが枢着され、この構成により複数の交差伸び部材を展開させたり折り畳んだりすることができる。
【００３２】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３３】
１  開閉部材
１ａ  開閉部材
１ｂ  開閉部材
２  交差伸び部材
２'  交差伸び部材
２ａ  交差伸び部材
２ａ'  交差伸び部材
２ｂ  交差伸び部材
２ｂ'  交差伸び部材
２ｃ  交差伸び部材
２ｃ'  交差伸び部材
２ｄ  交差伸び部材
２ｄ'  交差伸び部材
３  挿着部材
１１  回転部材
１１ａ  回転部材
１１ｂ  回転部材
１２  回転部材
１２ａ  回転部材
１２ｂ  回転部材
２１  第１の伸び部材
２１'  第１の伸び部材
２１ａ  第１の伸び部材
２１ａ'  第１の伸び部材
２１ｂ  第１の伸び部材
２１ｂ'  第１の伸び部材
２１ｃ  第１の伸び部材
２１ｃ'  第１の伸び部材
２１ｄ  第１の伸び部材
２１ｄ'  第１の伸び部材
２２  第２の伸び部材
２２ａ  第２の伸び部材
２２ａ'  第２の伸び部材
２２ｂ  第２の伸び部材
２２ｂ'  第２の伸び部材
２２ｃ  第２の伸び部材
２２ｃ'  第２の伸び部材
２２ｄ  第２の伸び部材
２２ｄ'  第２の伸び部材
１００  ヘアバンド
１００ａ  ヘアバンド
１００ｂ  ヘアバンド
１００ｃ  ヘアバンド
１００ｄ  ヘアバンド
１２１  貫通孔
２２１  貫通孔
Ｐ１  交差点
Ｐ２  交差点
【図１】
0003176351.tif 000003
【図２】
0003176351.tif 000004
【図３】
0003176351.tif 000005
【図４】
0003176351.tif 000006
【図５】
0003176351.tif 000007
【図６】
0003176351.tif 000008
【図７】
0003176351.tif 000009
【図８】
0003176351.tif 000010
【図９】
0003176351.tif 000011
【図１０】
0003176351.tif 000012